(57)【要約】【課題】  表示部の組付の際、表示部に形成された操作部のフレームへの接触を回避し、表示部をフレームに円滑に組み付け得る電子装置を提供する。【解決手段】  本体部１０と、両側部４６に突起５５を備え、本体部１０の前面１２を覆い、本体部１０に対して変位することにより本体部１０の前面１２を露出する表示部２０と、表示部２０が本体部１０の前面１２を覆った状態で表示部２０の少なくとも一部を収めるように本体部１０の前面１２に設けられ、上部４２より下部４４の本体部１０の前面１２からの突き出し量が大きく、本体部１０の前面１２のフレキシブル基板３０が接続する位置の両側に、下側に本体部１０の前面１２に露出する露出部が形成される、突起５５を表示部２０の変位の際に案内する案内溝４５を有するフレーム４０と、を具備する。【選択図】        図１１
2010100202.tif 000002
【特許請求の範囲】
【請求項１】
本体部と、
両側部に突起を備え、前記本体部の前面を覆い、前記本体部に対して変位することにより前記本体部の前面を露出する電子機器と、
前記電子機器が前記本体部の前面を覆った状態で前記電子機器の少なくとも一部を収めるように前記本体部の前面に設けられ、上部より下部の前記本体部の前面からの突き出し量が大きく、前記本体部の前面のフレキシブル基板が接続する位置の両側に、下側に前記本体部の前面に露出する露出部が形成される、前記突起を電子機器の変位の際に案内する案内溝を有するフレームと、
を具備することを特徴とする電子装置。
【請求項２】
前記案内溝は、Ｓ字形状の溝であることを特徴とする請求項１に記載の電子装置。
【請求項３】
前記電子機器は、前記電子機器の下部が前記本体部から離れるように斜動することを特徴とする請求項１又は２に記載の電子装置。
【請求項４】
前記案内溝の露出部は、前記フレームの下部と平行に形成されていることを特徴とする請求項１から３のいずれか１項に記載の電子装置。
【請求項５】
前記案内溝の露出部の幅は、露出部以外の案内溝の幅より広いことを特徴とする請求項１から４のいずれか１項に記載の電子装置。
【請求項６】
前記電子装置は車載用電子装置であることを特徴とする請求項１から５のいずれか１項に記載の電子装置。
【請求項７】
本体部と、両側部に突起を備え、前記本体部の前面を覆い、前記本体部に対して変位することにより前記本体部の前面を露出する電子機器と、前記電子機器が前記本体部の前面を覆った状態で前記電子機器の少なくとも一部を収めるように前記本体部の前面に設けられ、上部より下部の前記本体部の前面からの突き出し量が大きく、前記本体部の前面の前記フレキシブル基板が接続する位置の両側に、下側に前記本体部の前面に露出する露出部が形成される、前記突起を電子機器の変位の際に案内する案内溝を有するフレームと、を具備する電子装置の製造方法であって、
前記電子機器のそれぞれの突起を前記案内溝の露出部に嵌め合わせつつ前記フレームに組み付けるステップを含むことを特徴とする電子装置の製造方法。
【請求項８】
前記電子機器は、前記電子機器の下部が前記本体部から離れるように斜動することを特徴とする請求項７に記載の電子装置の製造方法。
【請求項９】
前記電子装置は車載用電子装置であることを特徴とする請求項７又は８のいずれか１項に記載の電子装置の製造方法。
【発明の詳細な説明】
【技術分野】
【０００１】
本発明は、電子装置およびその製造方法に関し、特に電子機器と本体部とを備えた電子装置およびその製造方法に関する。
【背景技術】
【０００２】
例えば、車両に搭載される車両用ナビゲーション装置は運転席と助手席の間のダッシュボード部分に配置されることが多く、正面から見た大きさを定められた大きさとすることが求められている。そこで、本体部と電子機器としての表示部とを設け、表示部を視認する状態においては表示部の背面と本体部の前面とを対向させた状態で配置し、本体部の前面に設けられた記憶媒体等の挿排口等に記憶媒体等の挿排を行う際には、表示部を斜動させる構造が知られている。
【０００３】
また、本体部の前面を囲うようにフレームを形成し、フレーム内に表示部を組み付ける構造も知られている。このフレームの側部に案内溝を構成すると共に、表示部にも突起を構成し、案内溝と突起とを嵌め合わせることで、表示部を斜動させる構造も知られている（例えば、特許文献１、特許文献２参照）。さらに、表示部がダッシュボードから突出したときに、表示部の下方への回動を抑制する技術も知られている（例えば、特許文献３参照）。
【０００４】
【特許文献１】特開２００６−２７６７６９号公報
【特許文献２】特開２００８−１８５３６７号公報
【特許文献３】特開２００３−２２３１０９号公報
【発明の開示】
【発明が解決しようとする課題】
【０００５】
以上のような電子装置において、例えば、フレーム内に表示部を組み付ける際に、表示部に形成された操作部がフレームに接触し、表示部のフレームへの円滑な組み付けを妨げる場合がある。
【０００６】
本発明は、このような事情に鑑みなされたものであり、表示部の組み付けの際に、表示部に形成された操作部のフレームへの接触を回避し、表示部をフレームに円滑に組み付け得る電子装置およびその製造方法を提供することを目的とする。
【課題を解決するための手段】
【０００７】
かかる目的を達成するために本発明に係る電子装置は、本体部と、両側部に突起を備え、本体部の前面を覆い、本体部に対して変位することにより本体部の前面を露出する電子機器と、電子機器が本体部の前面を覆った状態で電子機器の少なくとも一部を収めるように本体部の前面に設けられ、上部より下部の本体部の前面からの突き出し量が大きく、本体部の前面のフレキシブル基板が接続する位置の両側に、下側に本体部の前面に露出する露出部が形成される、突起を電子機器の変位の際に案内する案内溝を有するフレームと、を具備することを特徴としている。この構成によれば、電子機器を組み付けの際に、電子機器に形成された操作部のフレームへの接触が回避され、電子機器はフレームに円滑に組み付けられる。
【０００８】
上記構成において、案内溝は、Ｓ字形状の溝であることを特徴としている。この構成によれば、電子機器はフレームに円滑に組み付けられる。
【０００９】
上記構成において、電子機器は、電子機器の下部が本体部から離れるように斜動する構成とすることができる。この構成によれば、本体部の前面のフレキシブル基板が接続する位置が前面の下の領域となるため、フレキシブル基板を本体部に接続する際に、電子機器をフレームの下方に配置することとなり、切り欠き部を設けることがより有効となる。
【００１０】
上記構成において、案内溝の露出部は、フレームの下部と平行に形成されていることを特徴としている。この構成によれば、電子機器を組み付ける際、電子機器の倒伏状態を平行に保ちながら組み付けることができる。
【００１１】
上記構成において、案内溝の露出部の幅は、露出部以外の案内溝の幅より広いことを特徴としている。この構成によれば、電子機器のフレームへの組み付け開始が容易となる。
【００１２】
電子装置は車載用電子装置である構成とすることができる。
【００１３】
また、本発明に係る電子装置の製造方法は、本体部と、両側部に突起を備え、本体部の前面を覆い、本体部に対して変位することにより本体部の前面を露出する電子機器と、電子機器が本体部の前面を覆った状態で電子機器の少なくとも一部を収めるように本体部の前面に設けられ、上部より下部の本体部の前面からの突き出し量が大きく、本体部の前面のフレキシブル基板が接続する位置の両側に、下側に本体部の前面に露出する露出部が形成される、突起を電子機器の変位の際に案内する案内溝を有するフレームと、を具備する電子装置の製造方法であって、電子機器のそれぞれの突起を案内溝の露出部に嵌め合わせつつフレームに組み付けるステップを含むことを特徴としている。この構成によれば、電子機器を組み付けの際に、電子機器に形成された操作部のフレームへの接触が回避され、電子機器はフレームに円滑に組み付けられる。
【発明の効果】
【００１４】
本発明によれば、表示部を組み付けの際に、表示部に形成された操作部のフレームへの接触が回避され、表示部はフレームに円滑に組み付けられる。
【発明を実施するための最良の形態】
【００１５】
以下、添付図面を参照しながら本発明の最良の実施の形態を説明する。
【００１６】
図１は、本発明の実施形態に係る電子装置の斜視図である。電子装置としては、例えばカーナビゲーション装置等がある。
【００１７】
電子装置１００は、図１に示すように、本体部１０と表示部２０とを有している。
【００１８】
本体部１０には、カーナビゲーションの制御部、ＣＤ（Compact Disc）、ＤＶＤ（Digital Versatile Disc）等の記憶媒体の再生部、オーディオ等が収められている。
【００１９】
フレーム４０（インターパネル）は、表示部２０が本体部１０の前面を覆った状態で表示部２０を収めるように本体部１０の前面を囲み設けられている。尚、図１では、表示部２０の全部がフレーム４０に収められているが、表示部２０の少なくとも一部が収められていればよい。フレーム４０は上部４２、下部４４および側部４６を有している。フレーム４０の下部４４には切り欠き部４８が設けられ、切り欠き部４８には、カバー部６０が嵌め込まれている。カバー部６０により切り欠き部４８が目立たず、良好な意匠を生じさせている。
【００２０】
表示部２０は、ＬＣＤ（Liquid Crystal Display）等の表示画面２４と、表示画面２４等を操作する操作部２６を有している。また、表示画面２４はタッチパネルを備えていてもよい。ユーザは、表示部２０がフレーム４０内に収められた状態で表示画面２４を視認することができる。
【００２１】
図２は、表示部２０を離脱させた本体部１０を示す斜視図である。
【００２２】
本体部１０の前面１２には、図２に示すように、フレキシブル基板を接続するための開口部１５が設けられている。開口部１５内には、フレキシブル基板３０を接続するためのコネクターが設けられている。また、本体部１０の前面１２の上の領域には、ＣＤの挿排口１６、ＤＶＤの挿排口１８が設けられている。本体部１０の前面１２の下の領域には、表示部２０を斜動させるためのスライダー５０が設けられている。
【００２３】
フレーム４０の下部４４には、本体部１０の前面１２のフレキシブル基板３０が接続する位置の下方に切り欠き部４８を有する。図２は切り欠き部４８からカバー部６０を離脱した状態を示している。フレーム４０の左右の側部４６の内面には表示部２０を斜動させるための略Ｓ字状の案内溝４５が設けられている。
【００２４】
この案内溝４５の下側は、本体部１０の前面に露出して形成されている。特に、案内溝４５の露出した部分（露出部）４５ａは、表示部２０の水平程度の挿入の観点から、フレーム４０の下部４４と平行に形成されていることが望ましく、本体部１０の前面方向に突き抜けていることが好ましい。さらに、表示部２０のフレーム４０への組み付けの容易さの観点から、案内溝４５の露出部４５ａのうち、突起５５の入り口となる露出部４５ａの溝の幅が、その露出部４５ａ以外の案内溝４５の幅より広いことが好適である。尚、案内溝４５の形状は、例えば、一部又は全部に円弧状となる部分が含まれていたり、直線状となる部分が含まれていたりすれば、特に略Ｓ字状に限定されるものでない。
【００２５】
図３（ａ）は表示部２０、図３（ｂ）は表示部２０の背面２２を示す図である。
【００２６】
表示部２０の側面の上背面側には、図３（ａ）に示すように、突起５５が設けられている。突起５５は、案内溝４５の入り口から嵌め込まれ、表示部２０の斜動に併せて、案内溝４５内をスライドする。
【００２７】
表示部２０の背面２２には、図３（ｂ）に示すように、フレキシブル基板３０が接続部２８により機械的に接続している。フレキシブル基板３０は、表示画面２４に画像を表示させるための画像信号を、本体部１０から表示部２０に伝送する。また、表示部２０の操作部２６が操作されると、操作情報を本体部１０に伝送する。フレキシブル基板３０の先端には、本体部１０の前面１２のコネクター１４に係合するコネクター３２が設けられている。背面２２の下の領域の左右には、スライダー５０を接続するための接続部５２が設けられている。図２の切り欠き部４８の幅Ｗ１は、図３（ｂ）のフレキシブル基板３０の幅Ｗ２より大きく設定されている。
【００２８】
図４（ａ）および図４（ｂ）は、表示部２０の動きを説明するための電子装置１００の断面図である。表示部２０を破線で示している。
【００２９】
フレーム４０の下部４４の本体部１０の前面１２からの突き出し量Ｌ２は、図４（ａ）に示すように、上部４２の本体部１０の前面１２からの突き出し量Ｌ１より大きい。表示部２０の突起５５は、フレーム４０の案内溝４５に嵌め込まれている。スライダー５０の先端は、表示部２０の背面２２の接続部５２に接続されている。表示部２０が本体部１０の前面１２を覆った状態では、突起５５は案内溝４５の上端に位置している。
【００３０】
表示部２０が変位し、本体部１０の前面１２を露出させる際には、図４（ｂ）に示すように、スライダー５０が伸び、表示部２０の下部が本体部１０から離れるように、表示部２０が斜動する。このとき、突起５５は案内溝４５内をスライドする。表示部２０が最も斜動し、本体部１０の前面１２が最も露出した場合、突起５５は案内溝４５の下端に位置している。この状態で、本体部１０の前面１２のＣＤ挿排口やＤＶＤ挿排口を操作することができる。フレキシブル基板３０は、表示部２０が変位した際に変形する。
【００３１】
次に、本体部１０に表示部２０の組み付ける方法について説明する。
【００３２】
図５から図１３は、電子装置１００の模式図である。
【００３３】
図５に示すように、前面１２となるパネルを、ネジ穴６１を介しネジ６２で本体部１０の筐体１１にネジ止めする。これにより、本体部１０が形成される。図６に示すように、本体部１０の嵌合穴６４に嵌合部６６を嵌合させることにより、本体部１０にフレーム４０を組み付ける。図７に示すように、案内溝４５にグリス７２を塗布する。グリス７２により、案内溝４５内の突起５５の移動が容易になる。
【００３４】
図８（ａ）のように、フレーム４０の下方に配置する。次いで、図８（ｂ）及び図９に示すように、フレキシブル基板３０を切り欠き部４８を介し、本体部１０に接続する。フレキシブル基板３０の先端のコネクター３２を開口部１５を介しコネクター１４に嵌め込む。
【００３５】
図１０及び図１１（ａ）に示すように、次いで、表示部２０を本体部１０の前方に配置する。表示部２０の上部を本体部１０側に、表示部２０の下部が本体部１０から離れるように表示部２０を配置する。表示部２０の突起５５を案内溝４５に嵌め込む。案内溝４５がフレーム４０の前面まで延伸しているため、突起５５を容易に案内溝４５に嵌め込むことができる。
【００３６】
図１１（ｂ）及び図１２に示すように、次いで、スライダー５０を延伸させ、表示部２０の背面２２の接続部５２にスライダー５０を接続する。例えば、ねじを用いスライダー５０を接続部に接続する。スライダー５０と接続部５２（図３（ｂ）参照）とは回転自在なように接続される。図１３に示すように、表示部２０自立させる。カバー部６０を切り欠き部４８に嵌め込む。以上により、表示部２０の組み付けが終了する。
【００３７】
図１４は、フレーム４０の案内溝４５の下側が露出していない、比較例に係る電子装置１００の断面模式図である。この図１４は、上述した図８（ｂ）に対応する。
【００３８】
図１４に示すように、表示部２０を案内溝４５の上端から組み付けると、操作部２６がフレーム４０の上部４２と接触する。このため、表示部２０をフレーム４０に組み付ける際に、操作部２６やフレーム４０を損傷したり、異音を生じさせながら組み付けたり、さらには、表示部２０の側面をグリス等で汚してしまうことがあった。
【００３９】
本実施形態に係るフレーム４０は、案内溝４５の下側が本体部１０の前面に露出して突き抜けて形成されており、さらに、露出部４５ａは、フレーム４０の下部４４と概ね平行となっている。このため、表示部２０は、図１１（ａ）に示すように、フレーム４０の下部４４と概ね平行な状態を保ちつつ、組み付けが開始され、操作部２６のフレーム４０への接触が回避される。そして、表示部２０の側面へのグリス汚れ等も回避される。尚、組み付けの際の表示部２０の倒伏状態は、フレーム４０の下部４４と平行でなく、露出部４５ａと概ね平行となるようにしてもよい。
【００４０】
以上、本発明の好ましい実施例について詳述したが、本発明は係る特定の実施例に限定されるものではなく、特許請求の範囲に記載された本発明の要旨の範囲内において、種々の変形・変更が可能である。
【００４１】
例えば、本実施形態では、電子装置の一例として車載用電子装置について説明したが、家庭用電子装置等であってもよい。また、表示部に形成された突起の案内溝における動作を円滑にすべく、グリス等の潤滑剤を案内溝に塗布することが望ましい。
【００４２】
さらに、上述した実施形態では、露出部４５ａの溝の幅をフレーム４０の上方に向けて広げたが、表示部２０がフレーム４０の下から配置されることを鑑みると、フレーム４０の下方に向けて広げるようにしてもよく、さらに、上方と下方の双方を広げるようにしてもよい。
【図面の簡単な説明】
【００４３】
【図１】電子装置の斜視図である。
【図２】表示部を離脱させた本体部を示す斜視図である。
【図３】（ａ）は表示部、（ｂ）は表示部の背面を示す図である。
【図４】表示部の動きを説明するための電子装置の断面図である。
【図５】電子装置の製造工程を示す斜視図（その１）である。
【図６】電子装置の製造工程を示す斜視図（その２）である。
【図７】電子装置の製造工程を示す斜視図（その３）である。
【図８】電子装置の製造工程を示す断面模式図（その１）である。
【図９】電子装置の製造工程を示す斜視図（その４）である。
【図１０】電子装置の製造工程を示す斜視図（その５）である。
【図１１】電子装置の製造工程を示す断面模式図（その２）である。
【図１２】電子装置の製造工程を示す斜視図（その６）である。
【図１３】電子装置の断面模式図の一例である。
【図１４】フレームの案内溝の下側が露出していない、比較例に係る電子装置の断面模式図である。
【符号の説明】
【００４４】
１０          本体部
１２          前面
２０          表示部
２２          背面
２６          操作部
３０          フレキシブル基板
４０          フレーム
４２          上部
４４          下部
４５          案内溝
４５ａ        案内溝の露出部（突起の入り口）
４６          側部
４８          切り欠き部
５０          スライダー
５５          突起
【図１】
2010100202.tif 000003
【図２】
2010100202.tif 000004
【図３】
2010100202.tif 000005
【図４】
2010100202.tif 000006
【図５】
2010100202.tif 000007
【図６】
2010100202.tif 000008
【図７】
2010100202.tif 000009
【図８】
2010100202.tif 000010
【図９】
2010100202.tif 000011
【図１０】
2010100202.tif 000012
【図１１】
2010100202.tif 000013
【図１２】
2010100202.tif 000014
【図１３】
2010100202.tif 000015
【図１４】
2010100202.tif 000016